(57)【要約】【課題】  注出口本体とキャップとをヒンジ部で連結した構造の注出口において、簡単な構造でキャップを確実に開位置に保持することを可能とした注出口を提供する。【解決手段】  注出口本体２と、その注出口本体２にヒンジ部４を介して連結され、注出口本体２の注出部２ａ上面を開閉可能なキャップ３とを有する注出口１において、キャップ３の天面部分３ａに、この注出口１を取り付ける紙容器５のトップシール部５ａに係止するための係止爪３ｇを設け、キャップ３を開いた時、係止爪３ｇをトップシール部５ａに係止することでそのキャップ３を確実に開位置に保持可能とする。【選択図】  図５
2005029234.tif 000002
【特許請求の範囲】
【請求項１】
ゲーベルトップ型の紙容器に取り付けて使用するための注出口であって、筒状の注出部の下部外周にフランジ部を有すると共に前記注出部の内側に注出部を閉じる遮蔽部、該遮蔽部の一部を容易に開封しうるように設けられた薄肉部、該薄肉部で囲まれた領域に連結されたプルリングを備えた注出口本体と、該注出口本体にヒンジ部を介して連結され、前記注出口本体の注出部上面を開閉可能なキャップとを有し、該キャップがその天面部分に、前記紙容器のトップシール部に係止するための係止爪を有することを特徴とする注出口。
【請求項２】
前記キャップが、その天面部分の外面に天面部分を横切るように形成された溝を備え、前記係止爪が、その溝の一方の側面と前記天面部分の外面にはさまれた部分によって形成されていることを特徴とする請求項１記載の注出口。
【発明の詳細な説明】
【技術分野】
【０００１】
本発明は、ゲーベルトップ型の紙容器に取り付けて使用するためのプラスチック製の注出口に関する。
【背景技術】
【０００２】
従来、ゲーベルトップ型の紙容器に使用する注出口は、紙容器に固定する注出口本体と、その注出口本体を蓋するためのキャップとが別部品となった２ピース構造のものが一般的である。しかしながら、２ピース構造の注出口では製造コストが高いとか、開封した後、キャップを紛失しやすいといった問題があった。そこで、１ピース構造の注出口も提案され、使用されている。１ピース構造の注出口には、大別して２つのタイプがある。その１つは、筒状の注出部とそれを閉鎖する領域（開封後、ヒンジ蓋となる領域）を一体構造として作り、且つそのヒンジ蓋となる領域の周縁の一部をヒンジ部とし、残りの周縁を容易に引き裂くことのできる薄肉部とし、且つ、ヒンジ蓋となる領域に摘み片を設けた構造であり、開封に当たっては、摘み片を引張って薄肉部を引き裂き、ヒンジ蓋をヒンジ部を中心として旋回させることで開封していた（例えば、実公平３−１３８０号公報参照）。また、他の１つは、筒状の注出部の底部近傍の内側に注出部を閉じる遮蔽部、該遮蔽部の一部を容易に開封しうるように設けられた薄肉部、該薄肉部で囲まれた領域に連結されたプルリングを備えた注出口本体と、該注出口本体にヒンジ部を介して連結され、前記注出口本体の注出部上面を開閉可能なキャップとを有する構造であり、開封に当たっては、キャップを開けた後、プルリングを引張って薄肉部を引き裂き、遮蔽部に開口を形成していた（例えば、特開平６−９２３４９号公報、特開平９−１８８３４６号公報参照）。
【０００３】
しかしながら、実公平３−１３８０号公報に記載のタイプの注出口ではヒンジ蓋となる領域の周縁を引き裂いて開封しており、再閉鎖の際には単にそのヒンジ蓋を注出部の先端位置に戻すだけであるので、密閉性が悪いという問題があった。一方、特開平６−９２３４９号公報、特開平９−１８８３４６号公報に記載のタイプの注出口では、開封後の再閉鎖の際にはキャップを注出部先端に嵌合すればよいので密閉性は良好である。しかしながら、特開平６−９２３４９号公報の注出口では、ヒンジ部で連結されたキャップを開いた時、そのキャップは単にヒンジ部で連結された状態となっているだけで、キャップが開位置に拘束されないので、プルリングを引張って開封する際や注出部から内容物を注ぐ際などにキャップが注出部の上にかぶさってきて、内容物注出の妨げになるという問題があった。特開平９−１８８３４６号公報に記載の注出口は、この問題を解決するため、キャップを注出口本体に連結しているヒンジ部の近傍に、キャップの注出口本体に対する開角度を所定の角度に保持するための、ラチェット爪とラチェット溝を用いた機構を設けているが、こられのラチェット爪とラチェット溝はきわめて小さいため破損しやすく、また、ラチェット爪とラチェット溝を係合させていても外れやすいといった問題点があった。
【特許文献１】実公平３−１３８０号公報
【特許文献２】特開平６−９２３４９号公報
【特許文献３】特開平９−１８８３４６号公報
【発明の開示】
【発明が解決しようとする課題】
【０００４】
本発明はかかる問題点に鑑みてなされたもので、注出口本体とキャップとをヒンジ部で連結した構造の注出口において、簡単な構造で、破損等の恐れが無く、キャップを確実に開位置に保持することを可能とした注出口を提供すること課題とする。
【課題を解決するための手段】
【０００５】
本発明は、注出口本体と、その注出口本体にヒンジ部を介して連結され、注出口本体の注出部上面を開閉可能なキャップとを有する注出口において、前記キャップを開位置に確実に保持することができるよう、キャップの天面部分に、この注出口を取り付ける紙容器のトップシール部に係止するための係止爪を設けたことを特徴とする。
【０００６】
前記した注出口において、キャップの天面部分の外面に、天面部分を横切るように溝を形成し、その溝の一方の側面と天面部分の外面とにはさまれた部分によって前記係止爪を形成する構成とすることが好ましい。
【発明の効果】
【０００７】
本発明の注出口はキャップの天面部分に紙容器のトップシール部に係止するための係止爪を設けているので、この注出口を紙容器に取り付けた状態でキャップを開いてその係止爪をトップシール部に引っかけておくことで、キャップを開位置に保持することができ、プルリングを引張って開封する際や注出口から内容物を注出する際などにキャップが注出口の注出部先端にかぶさってきて邪魔をするということがない。また、この係止爪は紙容器のトップシール部に係止するものであるので、キャップの天面部分にかなり大きい形状の部分として作ることができ、このため破損しにくく且つトップシール部に引っかけた後は外れにくく、キャップを安定して開位置に保持できるといった効果を有している。
【０００８】
ここで、キャップの天面部分の外面に、天面部分を横切るように溝を形成し、その溝の一方の側面と天面部分の外面とにはさまれた部分によって前記係止爪を形成する構成とすると、係止爪がキャップ天面の外面から突出せず、外観がよくなると共に、天面部分の外面から突出する部分がないので、保管や紙容器への取付などの取り扱い時に、或いは紙容器に取り付けた後のシュリンク包装時などに邪魔になる部分がなく、このため各作業を容易に実施でき、しかも係止爪にものがぶつかって係止爪を破損するということもないという利点が得られる。
【発明を実施するための最良の形態】
【０００９】
以下、本発明の実施の形態を図面を参照して説明する。図１は本発明の一実施の形態に係る注出口の概略断面図、図２はその注出口の概略平面図、図３（ａ）、（ｂ）はその注出口を、キャップを閉じた状態で示す概略断面図および概略側面図、図４はその注出口を、キャップを閉じた状態で示す概略平面図、図５（ａ）はその注出口をゲーベルトップ型の紙容器に取り付け、キャップを閉じた状態で示す概略側面図、（ｂ）はキャップを開いた状態で示す概略側面図である。
【００１０】
図１〜図５において、全体を参照符号１で示す注出口は、ポリエチレン等の合成樹脂を射出成形して図１、図２に示す形状に形成されるもので、注出口本体２とキャップ３とがヒンジ部４によって一体に連結された構造をしている。注出口本体２は、円筒状の注出部２ａと、その注出部２ａの下部外周のフランジ部２ｂと、注出部２ａの内側に設けられ、注出部を閉じる遮蔽部２ｃ、該遮蔽部２ｃの一部を容易に開封しうるように環状に設けられた薄肉部２ｄ、該薄肉部で囲まれた領域に支柱２ｅを介して連結されたプルリング２ｆ等を備えている。そして、注出部２ａの外周下方には、紙容器に形成している取付穴に嵌合させるための段部２ｇが形成され、その上には周方向の４箇所に抜け止め片２ｈが形成されている。一方、注出部２ａの上端よりの外周には略全周に渡って突条２ｉが形成されている。また、フランジ部２ｂはその外周の一部に方向規制をするための直線部２ｂａを備えている。
【００１１】
キャップ３は、天面部分３ａと周壁部分３ｂを有しており、その周壁部分３ｂが注出部２ａの外側にヒンジ部４によって連結され、注出部２ａの上面を開閉可能となっている。すなわち、キャップ３の天面部分３ａの内側には、注出部２ａの上端を嵌合させる環状の溝３ｃが形成され、且つ周壁部分３ｂの内側には、注出部２ａの上端外周の突条２ｉが嵌合する溝３ｄが形成され、更に、周方向の３箇所に突条２ｉの抜け止めを図るための係止部３ｅも形成されている。また、周壁部分３ｂの、ヒンジ部４とは反対側の先端部分には、開蓋を容易とするための出っ張り部３ｆが形成されている。
【００１２】
更に、キャップ３の天面部分３ａには、図５に示すように、この注出口１をゲーベルトップ型の紙容器５に取り付け、キャップ３を開いた時に、その紙容器５のトップシール部５ａの先端に係止することができる位置に係止爪３ｇが形成されている。この係止爪３ｇの形状は、トップシール部５ａの先端に係止させることができるものであれば任意であるが、この実施の形態では、天面部分３ａの外面３ａａに、天面部分を横切るように溝３ｈを形成し、その溝３ｈの一方の側面と天面部分の外面３ａａにはさまれた部分によって係止爪３ｇを形成している。この構造とすると、係止爪が天面部分３ａの外面から突出せず、外観がよくなると共に、天面部分３ａの外面３ａａから突出する部分がないので、保管や紙容器への取付などの取り扱い時に、或いは紙容器に取り付けた後のシュリンク包装時などに邪魔になる部分がなく、このため各作業を容易に実施でき、しかも係止爪３ｇにものがぶつかって係止爪３ｇを破損するということもないという利点が得られる。図４に示すように、係止爪３ｇの先端の平面形状（天面部分を垂直方向から見た形状）は、中央の先端縁３ｇａの両側に後方に傾斜した先端縁３ｇｂを配した中高形状となっている。この形状は、係止爪３ｇを紙容器５のトップシール部５ａに引っかけやすいという利点を有している。
【００１３】
上記した構成の注出口１の材料には、従来の注出口に用いられる材料を適宜使用すればよく、例えば、低密度ポリエチレン樹脂、中密度ポリエチレン樹脂、高密度ポリエチレン樹脂、直鎖状低密度ポリエチレン樹脂、ポリスチレン樹脂、アイオノマー樹脂、ポリプロピレン樹脂、アクリル樹脂、ナイロン樹脂、ポリエステル系樹脂、ポリカーボネート樹脂等の樹脂を挙げることができる。
【００１４】
次に、上記した注出口１の使用方法を説明する。注出口１は、図１、図２に示す形状に射出成形された後、図３に示すように、ヒンジ部４を曲げて、キャップ３を注出口本体２の注出部２ａの先端に取り付け、この状態で図５（ａ）に示すように紙容器５に取り付けられる。この際、注出口１のヒンジ部４が紙容器５のトップシール部５ａ側となるように、注出口１の取り付け角度が定められている。この注出口１の開封に当たっては、キャップ３をヒンジ部４の反対側から押し上げることで、キャップ３を注出口本体の注出部２ａから外し、ヒンジ部４のところを中心として上方に旋回させ、図５（ｂ）に示すように、キャップ３の係止爪３ｇを紙容器５のトップシール部５ａに引っかける。これにより、キャップ３は開位置に保持されることとなる。この状態で、注出口本体２のプルリング２ｆを引っ張って開封し、内容物を注出部２ａから注ぐ。これらの操作の際、キャップ３はトップシール部５ａに引っかかった状態に保持されるため、キャップ３が注出部２ａの上端にかぶさって邪魔になるといったことがない。かくして、容易に開封作業や注ぐ作業を行うことができる。内容物を注いだ後は、キャップ３をトップシール部５ａから外し、注出部２ａ先端に嵌合させる。これにより、注出部２ａをキャップ３によって良好に再閉鎖することができる。
【産業上の利用可能性】
【００１５】
本発明の注出口は、果汁、牛乳、お茶、お酒等の種々な液体の収容に用いるゲーベルトップ型の紙容器に広く使用することができる。
【図面の簡単な説明】
【００１６】
【図１】本発明一実施の形態に係る注出口の概略断面図
【図２】図１の注出口の概略平面図
【図３】（ａ）は図１に示す注出口を、キャップを閉じた状態で示す概略断面図、（ｂ）はその概略側面図
【図４】図１に示す注出口を、キャップを閉じた状態で示す概略平面図
【図５】（ａ）は図１に示す注出口をゲーベルトップ型の紙容器に取り付け、キャップを閉じた状態で示す概略側面図、（ｂ）はキャップを開いた状態で示す概略側面図
【符号の説明】
【００１７】
１  注出口
２  注出口本体
２ａ  注出部
２ｂ  フランジ部
２ｃ  遮蔽部
２ｄ  薄肉部
２ｅ  支柱
２ｆ  プルリング
２ｇ  段部
２ｈ  抜け止め片
２ｉ  突条
３  キャップ
３ａ  天面部分
３ｂ  周壁部分
３ｃ  溝
３ｄ  溝
３ｅ  係止部
３ｆ  出っ張り部
３ｇ  係止爪
３ｇａ、３ｇｂ  先端縁
３ｈ  溝
５  紙容器
５ａ  トップシール部
【図１】
2005029234.tif 000003
【図２】
2005029234.tif 000004
【図３】
2005029234.tif 000005
【図４】
2005029234.tif 000006
【図５】
2005029234.tif 000007